(57)【要約】【課題】特殊なラベル基材や特殊な印刷機を必要とせず、簡便な方法で真贋判定ができるラベルを提供する。【解決手段】蛍光増白剤を含む白色基材と、白色基材の表面に印刷される蛍光増白剤を含有していない白色インキと、を有するラベルであって、白色基材は３００〜４００ｎｍの波長の紫外線下では蛍光する一方で、白色インキは３００〜４００ｎｍの波長の紫外線下では蛍光しないために、紫外線の蛍光能の違いから白色インキで形成される所望の画像を視認可能であることを特徴とする。【選択図】図２
2014157343.tif 000002
【特許請求の範囲】
【請求項１】
白色基材と、
この白色基材の裏面に塗布した粘着剤層と、
この粘着剤層に仮着している剥離台紙と、を有するラベルであって、
前記白色基材は、蛍光増白剤を含み、波長が３００〜４５０ｎｍの紫外線で蛍光し、
前記白色基材の表面には、蛍光増白剤を含有していない白色インキ層により画像を形成してあり、
波長が３００〜４５０ｎｍの紫外線下では、前記白色基材が蛍光する一方で、前記白色インキ層は蛍光せず、前記白色基材と該白色インキ層との蛍光能の差異から前記白色インキ層が形成された画像を視認可能であることを特徴とするラベル。
【請求項２】
前記白色基材の表面には、前記白色基材の少なくとも一部と前記白色インキ層とが透明な紫外線硬化型樹脂からなる被覆層が形成されていることを特徴とする請求項１に記載のラベル。
【請求項３】
前記白色基材の表面には、前記白色基材の少なくとも一部と前記白色インキ層とが透明なフィルムからなる被覆層が成されていることを特徴とする請求項１に記載のラベル。
【発明の詳細な説明】
【技術分野】
【０００１】
本発明は、ラベルに関し、特に真贋の判定や、秘匿情報などの記録に有効なラベルに関するものである。
【背景技術】
【０００２】
紫外線の照射を受けて蛍光する蛍光インキ（いわゆるブラックライトインキ）を用いて文字や図形や模様などの画像を印刷し、真贋判定や偽造防止を図ったラベルが、従来から使われている。このラベルは、白色基材の表面にブラックライトインキで画像を印刷しておき、ブラックライトを照射して蛍光能の有無によって真贋判定を可能としている。
【０００３】
しかしながら、ブラックライトインキを用いて真贋判定を行うラベルは、画線部と非画線部との表面性が異なることで気づかれる場合がある。また、白色基材の素材によっては光沢に差が生じることがあり、見る角度よって視認できてしまうため、情報を秘匿することが難しいという問題がある。また、ブラックライトインキ自体が高価であるため、ラベルの製造コストが上昇するという問題がある。
【先行技術文献】
【特許文献】
【０００４】
【特許文献１】特開２００７−１９６４８４号公報
【発明の概要】
【発明が解決しようとする課題】
【０００５】
そこで本発明は、以上の諸問題に鑑みてなされたもので、紫外線を照射することによって、ラベルの真贋判定を可能とするラベルを提供することを課題とする。
【０００６】
また本発明は、通常では視認することが困難であるが、紫外線を照射した際の蛍光能（濃淡）の違いから文字や図形や模様などの画像（秘匿情報）を視認可能なラベルを提供することを課題とする。
【０００７】
また本発明は、ラベル、シール、タグ（値札）、チケットなどに使用される汎用の基材を用いるとともに、かつ、特殊な印刷機を用いることなく低コストで製造可能なラベルを提供することを課題とする。
【課題を解決するための手段】
【０００８】
本発明は上記課題を解決すべく、以下に掲げる構成とした。
請求項１記載の発明の要旨は、白色基材と、この白色基材の裏面に塗布した粘着剤層と、この粘着剤層に仮着している剥離台紙と、を有するラベルであって、前記白色基材は、蛍光増白剤を含み、波長が３００〜４５０ｎｍの紫外線で蛍光し、前記白色基材の表面には、蛍光増白剤を含有していない白色インキ層により画像を形成してあり、波長が３００〜４５０ｎｍの紫外線下では、前記白色基材が蛍光する一方で、前記白色インキ層は蛍光せず、前記白色基材と該白色インキ層との蛍光能の差異から前記白色インキ層が形成された画像を視認可能であることを特徴とするラベルである。
請求項２記載の発明の要旨は、前記白色基材の表面には、前記白色基材の少なくとも一部と前記白色インキ層とが透明な紫外線硬化型樹脂なる被覆層が成されていることを特徴とするラベルである。
請求項３記載の発明の要旨は、前記白色基材の表面には、前記白色基材の少なくとも一部と前記白色インキ層とが透明なフィルムからなる被覆層が成されていることを特徴とするラベルである。
【発明の効果】
【０００９】
本発明のラベルは、蛍光増白剤を含む白色基材の表面に蛍光増白剤を含有しない白色インキを印刷することにより秘匿情報（白色インキ層）などの画像が形成されている。そのため、白色基材の表面は、３００〜４５０ｎｍの波長で蛍光するブラックライトを照射すると蛍光を発するのに対して、秘匿情報（白色インキ層）は、３００〜４５０ｎｍの波長で蛍光するブラックライトを照射しても蛍光しないため、紫外線の蛍光能の違いから秘匿情報（白色インキ層）を視認でき、ラベルの真贋判定などが可能になる。
【００１０】
また本発明のラベルは、秘匿情報（白色インキ層）を被覆するように白色基材の上層に透明な被覆層を形成しているので、可視光線下では、白色基材と白色インキ層との表面性との違いが目立たなくなり、秘匿情報の存在自体が視認されるリスクを低減することができる。
【図面の簡単な説明】
【００１１】
【図１】本発明のラベル１の実施例を示す斜視図である。
【図２】図１に示すＩＩ−ＩＩ線概略断面図である。
【図３】ラベル１の作用と使用方法の一例を示す説明図である。
【発明を実施するための形態】
【実施例】
【００１２】
つぎに本発明の実施例によるラベル１を図１ないし図３にもとづき説明する。
図１は、本発明のラベル１の実施例を示す斜視図、図２は、図１に示すＩＩ−ＩＩ線概略断面図である。
ラベル１は、長尺帯状の剥離台紙２の表面に白色基材３と、粘着剤層４と、からなるラベル片を所定間隔で複数枚仮着したものである。
【００１３】
白色基材３の表面には、例えば、黒色インキからなる視認情報５と、白色インキからなる秘匿情報６と、が印刷されている。
【００１４】
白色基材３は、紙基材や合成樹脂フィルム基材である。白色基材３は、その表面に印刷用インキや熱転写インキリボンを受理する印字適正を備えていてもよい。紙基材としては、上質紙、微塗工紙、コート紙、キャストコート紙など、合成樹脂フィルム基材としては、合成紙、ＰＥＴフィルム、ＰＥフィルム、ＰＰフィルムなどが挙げられる。さらに白色基材３は、サーマル紙、フィルムベースのサーマル紙なども使用可能である。
【００１５】
白色基材３は、その白色度を向上させるために、酸化チタン、シリカ、炭酸カルシウム、酸化亜鉛等の白色顔料を含有しているラベル基材である。
【００１６】
白色基材３は、基材が持つ黄色味や退色（黄ばみ）を消して視感的に白く見せるために、蛍光増白剤（蛍光染料）を含有または表面塗布している。
【００１７】
蛍光増白剤（蛍光染料）は、上記のとおり紙基材の地色である黄色味や紙基材が時間の経過によって変色（黄ばみ）することを打ち消して視感的な白さを上げるために有効な方法であり、光のなかの紫外線エネルギー（波長３００〜４００ｎｍ）を吸収し、励起して４２０ｎｍ〜４３５ｎｍの青紫色の光を放射し、視感的に白く見せる染料である。つまり、光の三原色である赤、緑、青の３色が全て合わさると視覚的に白く見えるのに対し、前記天然パルプを主体とした紙基材は、太陽光の中の青紫色を吸収してしまうために少し黄ばんで見えるため、青味を加えて視覚的に白く見せるものである。こうした蛍光増白剤としては、たとえば、ジアミノスチルベンジル誘導体、イミダゾール誘導体、クマリン誘導体など公知の蛍光増白剤を用いることができる。
【００１８】
粘着剤層４は、例えば、エマルジョン系、ソルベント系、ホットメルト系などの汎用の粘着剤が使用可能であり、その粘着力は被着体から容易に剥がれにくい、いわゆる強粘着レベル以上であることが望ましい。
【００１９】
視認情報５は、白色基材３の表面に設けた所望の画像（文字や図形や模様など）であり、白色基材３と異色系の有色インキ（図示の例では黒色インキ）により形成している。したがって、視認情報（黒色インキ層）５は、可視光線下において明確に視認することができる。また、視認情報（黒色インキ層）５は、３００〜４００ｎｍからなる波長のブラックライトの紫外線Ｕを照射しても、白色基材３と異色系の有色インキであるために視認可能である。
【００２０】
秘匿情報（白色インキ層）６は、白色基材３の表面に印刷した所望の画像（文字や図形や模様など）であり、蛍光増白剤を含有していない白色基材３と同色系の白色インキである。したがって、秘匿情報６は、白色基材３と識別困難な同色系の白色インキで形成されているために、可視光線下では白色基材３との区別が難しい。
また、秘匿情報６には、蛍光増白剤が含有されていないために、ブラックライトの紫外線Ｕを照射しても蛍光を発することはない。
【００２１】
秘匿情報６の白色インキに用いる白色顔料には、白色基材３と識別困難な同色系のものを使用する。具体的には、例えば、二酸化チタン、酸化亜鉛、硫化亜鉛、リトポン、鉛顔料（炭酸鉛、塩基性硫酸鉛、塩基性ケイ酸鉛、塩基性シリコ硫酸鉛、二塩基性亜リン酸鉛など）、酸化アンチモン、酸化ジルコニウム、ジルコン、カオリン、粘土、炭酸カルシウム、硫酸バリウム、ケイ酸塩（ステアタイト、アスベスチン等から得られるタルクなど）、雲母、水和アルミナ、軽石、硫酸カルシウム、アルミノケイ酸ナトリウム、アルミノケイ酸ナトリウムカリウムなどを挙げることができる。これらは２種以上混合し用いることもできる。白色顔料の含有量や粒度などは特に限定されず、本発明で用いる白色基材３と識別困難な同色となるように、かつ白色基材３と平滑度や光沢などが違和感のないように設計することが好ましい。
【００２２】
つぎに、ラベル１における視認情報（黒色インキ層）５および秘匿情報（白色インキ層）６の製造方法について説明する。
【００２３】
本実施例では、白色基材３にキャストコート紙を用いる。印刷機には、例えば、ヒューレット・パッカード社製のデジタル印刷機「Ｉｎｄｉｇｏ  ＷＳ６６００」を用いて、白色基材３の表面に所望の画像である視認情報（黒色インキ層）５および秘匿情報（白色インキ層）６を印刷する。
視認情報５には、白色基材３と異色系の有色インキ（図示の例では黒色インキ）を用いる。
秘匿情報６には、蛍光増白剤を含有していない白色インキを用いる。
視認情報５および秘匿情報６に用いるインキとしては、それぞれ商業的に入手可能なものであればよく、例えば、ヒューレット・パッカード社製のエレクトロインキ（熱溶融樹脂が溶剤に分散している液体現像液）などを用いることができる。
視認情報５および秘匿情報６を白色基材３の表面に印刷した後、別の印刷機やコーター（図示しない）を用いて白色基材３の上層に被覆層７を形成する。印刷機にベタロールをセットして、白色基材３の表面の視認情報５および秘匿情報６を被覆するように透明色の紫外線硬化型樹脂を白色基材３の全面に塗布して被覆層７を形成する。透明な紫外線硬化型樹脂としては、紫外線硬化型のニスや紫外線硬化型メジウムなどが好適である。
その他、被覆層７は、視認情報５と秘匿情報６とを被覆するように白色基材３の表面側より透明色のフィルムを被覆して形成することもできる。
【００２４】
こうして得たラベル１を任意の被着体に貼り付けて使用する場合を説明する。図３は、ラベル１の作用と使用方法の一例を示す説明図である。
ラベル１から剥離台紙２を剥がして被着体（図示しない）に貼り付ける。白色基材３の表面の秘匿情報６を形成しない領域は、可視光線下では白色に視認される。また、秘匿情報６は、可視光線下では白色基材３の表面と同色系の白色であるために視認が困難である。
一方で、波長が３００〜４００ｎｍの紫外線Ｕ下においては、表面基材３は、蛍光増白剤を含有もしくは表面塗布されているために、白色基材３の表面の秘匿情報６を形成しない領域が青紫色に蛍光する。また、秘匿情報６は、波長が３００〜４００ｎｍの紫外線Ｕ下においては、白色インキ自体に蛍光増白剤が含有されていないので、秘匿情報６は蛍光しない。
さらに、白色基材３の表面側に視認情報５および秘匿情報６を被覆するように被覆層７が形成されているので、白色基材３と秘匿情報６とを被覆層７を通して見ることになり、それらの表面性や光沢性の差が分かりにくくなり、可視光線下では白色基材３の秘匿情報６を形成していない領域と秘匿情報６との識別がより困難になる。
【００２５】
このように蛍光増白剤を含む白色基材３の表面に蛍光増白剤を含有しない白色インキにより秘匿情報（白色インキ層）６を形成しているので、３００ｎｍから４５０ｎｍの波長の紫外線Ｕ下では、白色基材３は蛍光する一方で、秘匿情報（白色インキ層）６は蛍光しないので、紫外線Ｕの蛍光能（濃淡）の違いにより秘匿情報（白色インキ層）６を視認することができ、ラベル１の真贋判定が可能になる。
【００２６】
本発明のラベル１は、メーカーなどにおけるロット管理に使用できる。白色基材３に数字やバーコードなどのロット番号を白色インキで印刷すれば、可視光線下ではロット番号が隠し文字となって本体の意匠を邪魔することがないために、利用用途を広げることができる。また、ラベル１を貼り付けた物品が正規の商品であるかどうかを識別できる。
なお、本発明のラベル１は、ラベル以外にも、シール、タグ（値札）、チケットなどとしても用いることができる。
【００２７】
なお、本発明が上記実施の形態に限定されず、本発明の技術思想の範囲内において、実施の形態は適宜変更可能である。また、上記構成部材の数、位置、形状等は上記実施の形態に限定されず、本発明を実施する上で好適な数、位置、形状等にすることができる。
【符号の説明】
【００２８】
１    ラベル
２    剥離台紙
３    白色基材
４    粘着剤層
５    視認情報（黒色インキ層）
６    秘匿情報（白色インキ層）
７    被覆層
Ｕ    紫外線
【図１】
2014157343.tif 000003
【図２】
2014157343.tif 000004
【図３】
2014157343.tif 000005